(57)【要約】【課題】所要の容積のフレコンを容易に開封させることのできるフレコン開封装置を提供すること。【解決手段】吊り上げ搬送機構、ハウジング（５）、一側方にスライド自在に構成されたターンテーブル（３）、フレコン（Ｆ）の底部の側部に接当して切断開封するカッター機構（４）が前記開封位置（Ａ）に臨んで設けられ、前記開封位置（Ａ）の下方に収容部（Ｂ）が設けられている。【選択図】図１
2015003764.tif 000002
【特許請求の範囲】
【請求項１】
フレコンを開封するためのフレコン開封装置であって、
フレコン（Ｆ）を吊り上げ、この吊り上げた状態で開封位置（Ａ）に搬送する吊り上げ搬送機構（２）が本体（１）に設けられ、
前記開封位置（Ａ）において無底のハウジング（５）が設けられると共に該ハウジング（５）の一部が開閉自在に構成されて前記フレコン（Ｆ）が収容できるように構成され、
前記開封位置（Ａ）に、前記フレコン（Ｆ）を載置して回転させるターンテーブル（３）が設けられると共に該ターンテーブル（３）が一側方にスライド自在に構成され、
前記ターンテーブル（３）の回転によって、前記フレコン（Ｆ）の底部の側部に接当して切断開封するカッター機構（４）が前記開封位置（Ａ）に臨んで設けられ、
前記開封位置（Ａ）の下方に収容部（Ｂ）が設けられている、
ことを特徴とするフレコン開封装置。
【請求項２】
前記ハウジング（５）は、略円筒状に構成されると共にその周壁部が観音開きに開閉できるように構成され、且つ、外部吸引機構に接続された排気ダクト（７）が設けられている、ことを特徴とする請求項１に記載のフレコン開封装置。
【請求項３】
前記カッター機構（４）が、縦軸周りに回転する回転刃（４Ａ）を備えると共に該回転刃（４Ａ）が前記フレコン（Ｆ）に対して接近離間できるように構成され、且つ、前記フレコン（Ｆ）に対する適正位置を得るためのセンサーを備えている、ことを特徴とする請求項１又は請求項２に記載のフレコン開封装置。
【発明の詳細な説明】
【技術分野】
【０００１】  本発明は、粉体、粒体、塊状体を収容して運搬、搬送するフレコンを爾後処理のために開封するためのフレコン開封装置に関する。
【背景技術】
【０００２】  フレコン（フレキシブルコンテナで、以下、フレコンと略称する）は、３００ｋｇ乃至１０００ｋｇの粉体、粒体、塊状体を対象とした収容容器として、不使用時には折りたたみできる一般に樹脂製で安価であるところから、最近に至って普及されてきた。【０００３】  こうしたフレコンは、輸送後、目的地において開封が行われるが、底部に開封手段を備えていない安価なタイプのものでは、フレコンを切断して開封するのが一般的である。
こうした開封手段としては、例えば、次の技術が知られている。【０００４】
【特許文献１】特開２００９−９６５４５
【特許文献２】特開２００５−６７６２５
【発明の概要】
【発明が解決しようとする課題】
【０００４】  上述した従来技術にあっては、収容物を所要の量だけコンパクトに収容して搬送する点において、一定容積のコンテナに比して非常に経済性に優れ、搬送取り扱い上も便利であるが、フレコンの搬送後の収容物の回収のための開封、回収に手間取り、効率的でないという欠点があった。【０００５】  本発明は、かかる問題点に鑑み、所要の容積のフレコンを容易に開封させることのできるフレコン開封装置を提供することを目的とする。
【課題を解決するための手段】
【０００６】本発明にかかるフレコンを開封するためのフレコン開封装置は、上記課題を解決するために、
フレコン（Ｆ）を吊り上げ、この吊り上げた状態で開封位置（Ａ）に搬送する吊り上げ搬送機構（２）が本体（１）に設けられ、
前記開封位置（Ａ）において無底のハウジング（５）が設けられると共に該ハウジング（５）の一部が開閉自在に構成されて前記フレコン（Ｆ）が収容できるように構成され、
前記開封位置（Ａ）に、前記フレコン（Ｆ）を載置して回転させるターンテーブル（３）が設けられると共に該ターンテーブル（３）が一側方にスライド自在に構成され、
前記ターンテーブル（３）の回転によって、前記フレコン（Ｆ）の底部の側部に接当して切断開封するカッター機構（４）が前記開封位置（Ａ）に臨んで設けられ、
前記開封位置（Ａ）の下方に収容部（Ｂ）が設けられている、
という手段を講じたものである。
【発明の効果】
【０００７】  本発明によれば、フレコンをターンテーブル載置して回転させ、その外周にカッター機構を望ませることで、容易に開封させ、且つ。そのターンテーブルをスライド自在に構成することで、収容物を容易に下方に排出させて回収することができる効果を奏する。
本発明にかかるその他の利点は、以下の実施例の説明から明らかとなろう。
【図面の簡単な説明】
【０００８】
【図１】本発明のフレコン開封装置の正面図である。
【図２】本発明のフレコン開封装置の平面図である。
【図３】本発明のフレコン開封装置の側面図である。
【図４】本発明のフレコン開封装置の要部の作動説明図である。
【図５】本発明のフレコン開封装置の一作用を示す要部の平面図である。
【図６】本発明のフレコン開封装置の一作用を示す要部の側面図である。
【発明を実施するための好適形態】
【０００９】  本発明の実施に際しては、前記ハウジング（５）は、略円筒状に構成されると共にその周壁部が観音開きに開閉できるように構成され、且つ、外部吸引機構に接続された排気ダクト（７）が設けられている、のが好ましい。
このように構成することで、開封後の粉塵が外部に漏れる虞がなく、作業環境を良好に保つことができる。
【００１０】  また、前記カッター機構（４）が、縦軸周りに回転する回転刃（４Ａ）を備えると共に該回転刃（４Ａ）が前記フレコン（Ｆ）に対して接近離間できるように構成され、且つ、前記フレコン（Ｆ）に対する適正位置を得るためのセンサーを備えている、のが好ましい。
このように構成することで、フレコンの開封を自動的に確実、容易に行い得ることが出来る。
【実施例】
【００１１】  以下、本発明にかかるフレコン開封装置の実施例について、図面を参照して詳述する。
このフレコンを開封するためのフレコン開封装置は、フレコンＦを吊り上げ、この吊り上げた状態で開封位置Ａに搬送する吊り上げ搬送機構２が装置の本体１に設けられている。前記本体１は、型鋼を用いた２階建ての剛構造物に構成されている。
前記フレコンＦは、一般に使用されている合成樹脂製の有底、上部開口の袋状体のものである。【００１２】  前記吊り上げ搬送機構２は、チエンを巻き上げ、巻き降ろしするところの小型ホイストが、剛構造物から一方向に延設された本体１の梁から垂下されており、フレコンＦを吊り上げ、水平移動できる構成とされている。
そして、本体１の２階には、前記開封位置Ａにおいて無底のハウジング５が設けられると共に該ハウジング５の一部が開閉自在に構成されて前記フレコンＦが収容できるように構成されている。【００１３】  前記ハウジング５は、図４に示すように、筒状体が、基部５Ａ、これにフランジで観音開き自在に設けられた開閉扉部５Ｂ、５Ｂから成り、前記開閉扉部５Ｂ、５Ｂは、エアシリンダー５ａによって、夫々開閉動作され、前記吊り上げ搬送機構２で搬送されてきたフレコンＦを収容できるように構成されている。また、該ハウジング５の頂部は、少し開口され、フレコンＦを吊るす吊り上げ搬送機構２のハンガー２Ａが、通過できるように構成されている。また、該ハウジング５の底部の一部には、後述のカッター機構４の先端が通過できる切込みが形成されている。
そして、前記ハウジング５にはダクト７が接続され、該ダクト７は、外部吸引機構（集塵機）に接続されていて、フレコンＦの開封、排出時に発生する粉塵を吸引し、作業環境を良好に保全する。【００１４】  前記開封位置Ａには、前記フレコンＦを載置して回転させるターンテーブル３が設けられると共に該ターンテーブル３が一側方にスライド自在に構成されている。
前記ターンテーブル３は、電動モータ３Ａで駆動されるベルト３Ｂを前記ターンテーブル３に巻回させて行う。【００１５】  そして、前記ターンテーブル３の回転によって、前記フレコンＦの底部の側部に接当して切断開封するカッター機構４が前記開封位置Ａに臨んで設けられている。
このカッター機構４は、先端部に回転刃４Ａを備え、移動用電動モータをネジ軸の回転を用いてフレコンＦに対して接近離間できる構成とされ、先端部には、センサーが設けられ、前記ハウジング５の底部を通過し、フレコンＦに接当したことを感知して移動用電動モータを適正位置で係止させる構成とされている。
そして、前記回転刃４Ａは、切断用電動モータによって駆動されるベベルギアを介して強制駆動される構成とされている。【００１６】  前記ターンテーブル３は、テーブル基台８に設けられており、電動モータの作動によって、該テーブル基台８を前記カッター機構４とは異なる側にスライド可能としている。【００１７】  そして、前記ターンテーブル３の下方、即ち、前記開封位置Ａの下方には収容部Ｂが設けられている。ここでは、ホッパー９と開閉自在のゲート９Ａが設けられ、フレコンＦから放出された収容物を、別のコンテナ等へ移すことができるようにされている。【００１８】  従って、車両等で運搬されてきたフレコンＦは、先ず、吊り上げ搬送機構２によって吊り上げられ、本体１の２階部へ引き上げられ、水平に移動される。
この際、上述のハウジング５は、その開閉扉部５Ｂ、５Ｂが開かれ、フレコンＦを内部に収容する。
そして、吊り上げ搬送機構２を作動して、フレコンＦを降下させ、ターンテーブル３の上に載置する。
この状態で、カッター機構４を作動させて、フレコンＦに回転刃４Ａを接当させ、センサー４Ｂによって適正位置で止める。【００１９】  次いで、ターンテーブル３を一方向に約３００度だけ回転（１ｒ．ｐ．ｍ．）させ、フレコンＦの底部を切断する。この際、ターンテーブル３は、更に、逆回転させて、確実な切断作業を行う。このターンテーブル３の回転角度を３００度としてあるのは、フレコンＦの底部を完全に切り離すのではなく、一部残しておくことで、収容物の下方への取り出しに紛れ込むのを防止し、また、ホッパー９乃至ゲート９Ａでの詰まりを防止するためである。【００２０】  しかる後に、テーブル基台６は、一方向に移動され、下方が開放されることで、フレコンＦの収容物は下方のホッパー９に放出される。
そして、ゲート９Ａを介して所要量が次の工程のために、別のコンテナ或いは処理工程へと移行されることになる。
【産業上の利用可能性】
【００２１】  本発明にかかる装置は、種々の容量のフレコンに対応可能であり、搬送されてきたフレコンの爾後処理をスムースに行い得るので、粉体処理、瓦礫処理など、種々の爾後工程に適応可能で、その応用範囲は広い。
【符号の説明】
【００２２】１：本体
２：吊り上げ搬送機構
３：ターンテーブル
４：カッター機構
４Ａ：回転刃
４Ｂ：センサー
５：ハウジング
６：外部吸引機構
７：排気ダクト
Ａ：開封位置
Ｆ：フレコン
【図１】
2015003764.tif 000003
【図２】
2015003764.tif 000004
【図３】
2015003764.tif 000005
【図４】
2015003764.tif 000006
【図５】
2015003764.tif 000007
【図６】
2015003764.tif 000008